(57)【要約】【課題】受信者の設定した条件のもとに広告コンテンツの配信を要求または許諾することが可能となる広告配信システムを提供する。【解決手段】広告コンテンツの配信を管理する広告配信管理プログラム（ｂ．広告管理プログラム）を広告デリバリーサービスサーバ１００から取得し、該取得した広告管理プログラムを広告受信端末４００に搭載することで、広告デリバリーサービスサーバ１００から広告コンテンツの配信処理が可能となる（ｄ．広告配信）。更に、広告受信端末４００の設定する受信要件をガイドするためのガイド画面を受信者が設定し広告受信端末４００の表示部に表示することで、該表示したガイド画面に応じた広告コンテンツを広告デリバリーサービスサーバ１００から配信することが可能となる。【選択図】        図１
2004271885.tif 000002
【特許請求の範囲】
【請求項１】
ネットワークを介して外部の広告配信サーバが配信する広告コンテンツを受信する広告受信端末装置であって、
前記広告コンテンツを受信するための広告配信プログラムを前記広告配信サーバから取得するプログラム取得手段と、
前記プログラム取得手段により取得した広告配信プログラムを起動させ前記広告配信サーバが配信する広告コンテンツの受信を容認するガイド画面を設定するガイド画面設定手段と、
前記ガイド画面設定手段により設定したガイド画面が容認する広告コンテンツを前記広告配信サーバから受信する広告コンテンツ受信手段と、
前記広告コンテンツ受信手段により受信した広告コンテンツを全画面表示するコンテンツ表示手段と、
を有することを特徴とする広告受信端末装置。
【請求項２】
ネットワークを介して外部の広告配信サーバが配信する広告コンテンツを受信する広告受信端末装置であって、
前記広告コンテンツを受信するための広告配信プログラムを前記広告配信サーバから取得するプログラム取得手段と、
前記プログラム取得手段により取得した広告配信プログラムを起動させ前記広告配信サーバが配信する広告コンテンツを受信する要件を設定する受信要件設定手段と、
前記受信要件設定手段により設定した受信要件を満たした広告コンテンツを前記広告配信サーバから受信する広告コンテンツ受信手段と、
前記広告コンテンツ受信手段により受信した広告コンテンツを表示するコンテンツ表示手段と、
を有することを特徴とする広告受信端末装置。
【請求項３】
前記受信要件設定手段は、
前記広告コンテンツを前記広告配信サーバから受信する契機となるガイド画面を設定するガイド画面設定手段を有し、
前記広告コンテンツ受信手段は、前記ガイド画面設定手段により設定したガイド画面を前記広告受信端末装置において表示した際に、前記広告コンテンツの受信が行われ、該受信した広告コンテンツが前記コンテンツ表示手段により表示されることを特徴とする請求項２記載の広告受信端末装置。
【請求項４】
前記コンテンツ表示手段により表示される広告コンテンツは、
前記広告コンテンツ受信手段により前記広告コンテンツを受信した際に、所定の期間だけ前記ガイド画面と切り替わり表示されることを特徴とする請求項１または２記載の広告受信端末装置。
【請求項５】
前記コンテンツ表示手段により表示される広告コンテンツは、全画面表示されることを特徴とする請求項２から４の何れか１項に記載の広告受信端末装置。
【請求項６】
前記広告コンテンツ受信手段により受信する広告コンテンツのジャンルを指定する受信コンテンツ指定手段を有することを特徴とする請求項１または２記載の広告受信端末装置。
【請求項７】
前記受信コンテンツ指定手段により指定する広告コンテンツのジャンルは、前記ガイド画面設定手段により設定したガイド画面に応じて指定されることを特徴とする請求項６記載の広告受信端末装置。
【請求項８】
前記ガイド画面設定手段により設定したガイド画面を前記広告配信サーバに送信するガイド画面送信手段を有することを特徴とする請求項１または３記載の広告受信端末装置。
【請求項９】
前記広告コンテンツを受信する受信要件の１つとなる個人情報の登録または変更を行う個人情報設定手段を有することを特徴とする請求項１から８の何れか１項に記載の広告受信端末装置。
【請求項１０】
広告コンテンツを提供する広告提供端末装置と、前記広告コンテンツを受信する広告受信端末装置と、前記広告コンテンツの配信処理を行う広告配信端末装置と、がネットワークを介して接続された広告配信システムであって、
前記広告受信端末装置は、
前記広告配信端末装置から配信される広告コンテンツの受信を認容するガイド画面を設定するガイド画面設定手段と、
前記ガイド画面設定手段により設定したガイド画面により認容される広告コンテンツを前記広告配信端末装置から受信するコンテンツ受信手段と、
前記ガイド画面取得手段により取得したガイド画面を前記広告配信端末装置に送信するガイド画面送信手段と、を有し、
前記広告配信端末装置は、
前記広告提供端末装置から依頼される広告コンテンツを前記広告受信端末装置に配信する広告配信手段と、
前記広告受信端末装置から送信される前記ガイド画面の利用情報を集計し前記広告提供端末装置に報告する利用情報報告手段と、を有し、
前記広告提供端末装置は、
前記広告配信端末装置に広告コンテンツの配信依頼を行う配信依頼手段と、
前記広告配信端末装置から報告される前記ガイド画面の利用情報から取得率の高いガイド画面を選別し、該選別したガイド画面をカスタムしてオリジナルのガイド画面を作成し、該作成したガイド画面を前記広告配信端末装置に登録するガイド画面登録手段と、
を有することを特徴とする広告配信システム。
【請求項１１】
前記ガイド画面設定手段により設定するガイド画面は、
前記広告配信端末装置から取得することでガイド画面を設定することを特徴とする請求項１０記載の広告配信システム。
【請求項１２】
前記ガイド画面設定手段により設定するガイド画面は、
予め前記広告受信端末装置が保持する画像を用いて設定することを特徴とする請求項１０記載の広告配信システム。
【請求項１３】
前記ガイド画面となる画像情報を提供する画像コンテンツサーバを有することを特徴とする請求項１０から１２の何れか１項に記載の広告配信システム。
【請求項１４】
ネットワークを介して外部の広告配信サーバと接続された通信端末装置において、実行される広告配信管理プログラムであって、
前記広告コンテンツを受信するための広告配信プログラムを前記広告配信サーバから取得するプログラム取得処理と、
前記プログラム取得処理により取得した広告配信プログラムを起動させ前記広告配信サーバが配信する広告コンテンツの受信を容認するガイド画面を設定するガイド画面設定処理と、
前記ガイド画面設定処理により設定したガイド画面が容認する広告コンテンツを前記広告配信サーバから受信する広告コンテンツ受信処理と、
前記広告コンテンツ受信処理により受信した広告コンテンツを表示するコンテンツ表示処理と、
をコンピュータに実行させることを特徴とする広告配信管理プログラム。
【請求項１５】
ネットワークを介して外部の広告配信サーバと接続された通信端末装置において、実行される広告配信管理プログラムであって、
前記広告コンテンツを受信するための広告配信プログラムを前記広告配信サーバから取得するプログラム取得処理と、
前記プログラム取得処理により取得した広告配信プログラムを起動させ前記広告配信サーバが配信する広告コンテンツを受信する要件を設定する受信要件設定処理と、
前記受信要件設定処理により設定した受信要件を満たした広告コンテンツを前記広告配信サーバから受信する広告コンテンツ受信処理と、
前記広告コンテンツ受信処理により受信した広告コンテンツを全画面表示するコンテンツ表示処理と、
をコンピュータに実行させることを特徴とする広告配信管理プログラム。
【請求項１６】
前記受信要件設定処理は、
前記広告コンテンツを前記広告配信サーバから受信する契機となるガイド画面を設定するガイド画面設定処理をコンピュータに実行させ、
前記広告コンテンツ受信処理は、前記ガイド画面設定処理により設定したガイド画面を前記広告受信端末装置において表示した際に、前記広告コンテンツの受信が行われ、該受信した広告コンテンツが前記コンテンツ表示処理により表示されることを特徴とする請求項１５記載の広告配信管理プログラム。
【請求項１７】
前記コンテンツ表示処理により表示される広告コンテンツは、
前記広告コンテンツ受信処理により前記広告コンテンツを受信した際に、所定の期間だけ前記ガイド画面と切り替わり表示されることを特徴とする請求項１４または１５記載の広告配信管理プログラム。
【請求項１８】
前記コンテンツ表示処理により表示される広告コンテンツは、全画面表示されることを特徴とする請求項１５から１７の何れか１項に記載の広告配信管理プログラム。
【請求項１９】
前記広告コンテンツ受信処理により受信する広告コンテンツのジャンルを指定する受信コンテンツ指定処理をコンピュータに実行させることを特徴とする請求項１４または１５記載の広告配信管理プログラム。
【請求項２０】
前記受信コンテンツ指定処理により指定する広告コンテンツのジャンルは、前記ガイド画面設定処理により設定したガイド画面に応じて指定されることを特徴とする請求項１９記載の広告配信管理プログラム。
【請求項２１】
前記ガイド画面設定処理により設定したガイド画面を前記広告配信サーバに送信するガイド画面送信処理をコンピュータに実行させることを特徴とする請求項１４または１６記載の広告配信管理プログラム。
【請求項２２】
前記広告コンテンツを受信する受信要件の１つとなる個人情報の登録または変更を行う個人情報設定処理をコンピュータに実行させることを特徴とする請求項１４から２１の何れか１項に記載の広告配信管理プログラム。
【発明の詳細な説明】
【０００１】
【発明の属する技術分野】
本発明は、ネットワークを介して広告コンテンツを受信して管理する広告受信端末装置、広告配信システムおよび広告配信管理プログラムに関する。
【０００２】
【従来の技術】
近年、ネットワークや通信環境の構築に伴い、情報通信を用いたサービスが市場に普及しており、例えば、広告コンテンツを配信する情報配信サービスがある。
この広告コンテンツの情報配信サービスは、電子メールとして広告コンテンツが送信されてくる方式、ＷＥＢサイトに接続している際に表示画面の一部分に広告コンテンツが送信されてくる方式、パソコン等の表示部に表示されているコンテンツ画面等から所定の広告に導くハイパーリンクポイント（自動的に広告コンテンツへ接続（リンク）し、画面を切り替える）動作を実行させるための特定の表示部操作を経て広告コンテンツが送信されてくる方式、等により、パソコン、携帯電話機、その他の情報通信端末装置の具備する表示部に広告コンテンツが表示されるのが一般的な手法である。
【０００３】
また、本発明の先行技術文献として、電子メールを配信するメール配信端末から電子メールを受信し、該受信した電子メールに対する返信等の利用者会員の処理内容に応じて会員に多様な得点を加算しつつ、広告等の情報を電子メールで送信する方法がある（例えば、特許文献１参照）。
【０００４】
また、ディスプレイの表示領域を複数に分割した個々の分割画面内に表示された画像情報の中からユーザが選択した所望の画像情報を、全画面サイズの表示領域に切り替えて表示する、または、前画面サイズの表示領域を個々の分割画面内に切り替えて表示することが可能な表示方法がある（例えば、特許文献２参照）。
【０００５】
また、広告情報を配信する中継器サーバから受信する広告情報のジャンル（カテゴリー）のランク付けを行い、そのランク付けを行ったジャンル（カテゴリー）毎に集計し、該集計した情報を双方向同時通信でユーザ通信端末に送信する配信方法がある（例えば、特許文献３参照）。
【０００６】
また、外部の通信端末装置からインターネットを介して受け付けた広告データを全画面表示形態の広告データに加工し、所定の配信先に配信して前画面表示を行う配信方法がある（例えば、特許文献４参照）。
【０００７】
【特許文献１】
特開２００１−２２９０９２号公報
【特許文献２】
特開２００１−８３９５０号公報
【特許文献３】
特開２００１−３０６９３１号公報
【特許文献４】
特開２００２―７４１７２号公報
【０００８】
【発明が解決しようとする課題】
しかしながら、パソコンや情報通信端末装置のインターネットアドレスを何らかの方法で取得しなければ、通常のワンウェイ、ブロードキャスト型の手段として広告コンテンツを配信することが困難となるため、“ワン切り”と俗称される方法を用いて、機械的にアドレスコードの生成を行い、パソコンやサーバを用いてメール送信を繰り返し、着信した通信端末装置のアドレスは実在すると判定してアドレスを取得し、広告コンテンツが配信されてくることもある。
【０００９】
また、名刺交換等の何らかの機会により取得したメールアドレスを用いて、広告コンテンツが配信されてくることもある。更には、特定の情報サービスを得る資格としてメールアドレス等の登録申請を行う際に、利用許諾にメールアドレスの広告等への利用が含まれることで、広告コンテンツが配信されてくる場合もある。
【００１０】
このように、ユーザは、様々な形態による多様な／予期しないメール受信や広告コンテンツへのアクセスにより惹起されるリスク（広告コンテンツへのアクセスが有料、誤操作や勘違い等により発生する意図しない処理動作）や迷惑を被る虞があり、全画面を広告用として利用するためには、「特定電子メールの送信の適正化等に関する法律」に則した広告配信サービスが求められている。
【００１１】
本発明は上記事情に鑑みてなされたものであり、受信者の設定した条件のもとに広告コンテンツの配信を要求または許諾することが可能となる広告受信端末装置、広告配信システムおよび広告配信管理プログラムを提供することを目的とする。
【００１２】
【課題を解決するための手段】
かかる目的を達成するために本発明は以下のような特徴を有する。
請求項１記載の発明は、ネットワークを介して外部の広告配信サーバが配信する広告コンテンツを受信する広告受信端末装置であって、広告コンテンツを受信するための広告配信プログラムを広告配信サーバから取得するプログラム取得手段と、プログラム取得手段により取得した広告配信プログラムを起動させ広告配信サーバが配信する広告コンテンツの受信を容認するガイド画面を設定するガイド画面設定手段と、ガイド画面設定手段により設定したガイド画面が容認する広告コンテンツを広告配信サーバから受信する広告コンテンツ受信手段と、広告コンテンツ受信手段により受信した広告コンテンツを全画面表示するコンテンツ表示手段と、を有することを特徴とする。
【００１３】
請求項２記載の発明は、ネットワークを介して外部の広告配信サーバが配信する広告コンテンツを受信する広告受信端末装置であって、広告コンテンツを受信するための広告配信プログラムを広告配信サーバから取得するプログラム取得手段と、プログラム取得手段により取得した広告配信プログラムを起動させ広告配信サーバが配信する広告コンテンツを受信する要件を設定する受信要件設定手段と、受信要件設定手段により設定した受信要件を満たした広告コンテンツを広告配信サーバから受信する広告コンテンツ受信手段と、広告コンテンツ受信手段により受信した広告コンテンツを表示するコンテンツ表示手段と、を有することを特徴とする。
【００１４】
請求項３記載の発明は、請求項２記載の広告受信端末装置において、受信要件設定手段は、広告コンテンツを広告配信サーバから受信する契機となるガイド画面を設定するガイド画面設定手段を有し、広告コンテンツ受信手段は、ガイド画面設定手段により設定したガイド画面を広告受信端末装置において表示した際に、広告コンテンツの受信が行われ、該受信した広告コンテンツがコンテンツ表示手段により表示されることを特徴とする。
【００１５】
請求項４記載の発明は、請求項１または２記載の広告受信端末装置において、コンテンツ表示手段により表示される広告コンテンツは、広告コンテンツ受信手段により広告コンテンツを受信した際に、所定の期間だけガイド画面と切り替わり表示されることを特徴とする。
【００１６】
請求項５記載の発明は、請求項２から４の何れか１項に記載の広告受信端末装置において、コンテンツ表示手段により表示される広告コンテンツは、全画面表示されることを特徴とする。
【００１７】
請求項６記載の発明は、請求項１または２記載の広告受信端末装置において、広告コンテンツ受信手段により受信する広告コンテンツのジャンルを指定する受信コンテンツ指定手段を有することを特徴とする。
【００１８】
請求項７記載の発明は、請求項６記載の広告受信端末装置において、受信コンテンツ指定手段により指定する広告コンテンツのジャンルは、ガイド画面設定手段により設定したガイド画面に応じて指定されることを特徴とする。
【００１９】
請求項８記載の発明は、請求項１または３記載の広告受信端末装置において、ガイド画面設定手段により設定したガイド画面を広告配信サーバに送信するガイド画面送信手段を有することを特徴とする。
【００２０】
請求項９記載の発明は、請求項１から８の何れか１項に記載の広告受信端末装置において、広告コンテンツを受信する受信要件の１つとなる個人情報の登録または変更を行う個人情報設定手段を有することを特徴とする。
【００２１】
請求項１０記載の発明は、広告コンテンツを提供する広告提供端末装置と、広告コンテンツを受信する広告受信端末装置と、広告コンテンツの配信処理を行う広告配信端末装置と、がネットワークを介して接続された広告配信システムであって、広告受信端末装置は、広告配信端末装置から配信される広告コンテンツの受信を認容するガイド画面を設定するガイド画面設定手段と、ガイド画面設定手段により設定したガイド画面により認容される広告コンテンツを広告配信端末装置から受信するコンテンツ受信手段と、ガイド画面取得手段により取得したガイド画面を広告配信端末装置に送信するガイド画面送信手段と、を有し、広告配信端末装置は、広告提供端末装置から依頼される広告コンテンツを広告受信端末装置に配信する広告配信手段と、広告受信端末装置から送信されるガイド画面の利用情報を集計し広告提供端末装置に報告する利用情報報告手段と、を有し、広告提供端末装置は、広告配信端末装置に広告コンテンツの配信依頼を行う配信依頼手段と、広告配信端末装置から報告されるガイド画面の利用情報から取得率の高いガイド画面を選別し、該選別したガイド画面をカスタムしてオリジナルのガイド画面を作成し、該作成したガイド画面を広告配信端末装置に登録するガイド画面登録手段と、を有することを特徴とする。
【００２２】
請求項１１記載の発明は、請求項１０記載の広告配信システムにおいて、ガイド画面設定手段により設定するガイド画面は、広告配信端末装置から取得することでガイド画面を設定することを特徴とする。
【００２３】
請求項１２記載の発明は、請求項１０記載の広告配信システムにおいて、ガイド画面設定手段により設定するガイド画面は、予め広告受信端末装置が保持する画像を用いて設定することを特徴とする。
【００２４】
請求項１３記載の発明は、請求項１０から１２の何れか１項に記載の広告配信システムにおいて、ガイド画面となる画像情報を提供する画像コンテンツサーバを有することを特徴とする。
【００２５】
請求項１４記載の発明は、ネットワークを介して外部の広告配信サーバと接続された通信端末装置において、実行される広告配信管理プログラムであって、広告コンテンツを受信するための広告配信プログラムを広告配信サーバから取得するプログラム取得処理と、プログラム取得処理により取得した広告配信プログラムを起動させ広告配信サーバが配信する広告コンテンツの受信を容認するガイド画面を設定するガイド画面設定処理と、ガイド画面設定処理により設定したガイド画面が容認する広告コンテンツを広告配信サーバから受信する広告コンテンツ受信処理と、広告コンテンツ受信処理により受信した広告コンテンツを表示するコンテンツ表示処理と、をコンピュータに実行させることを特徴とする。
【００２６】
請求項１５記載の発明は、ネットワークを介して外部の広告配信サーバと接続された通信端末装置において、実行される広告配信管理プログラムであって、広告コンテンツを受信するための広告配信プログラムを広告配信サーバから取得するプログラム取得処理と、プログラム取得処理により取得した広告配信プログラムを起動させ広告配信サーバが配信する広告コンテンツを受信する要件を設定する受信要件設定処理と、受信要件設定処理により設定した受信要件を満たした広告コンテンツを広告配信サーバから受信する広告コンテンツ受信処理と、広告コンテンツ受信処理により受信した広告コンテンツを全画面表示するコンテンツ表示処理と、をコンピュータに実行させることを特徴とする。
【００２７】
請求項１６記載の発明は、請求項１５記載の広告配信管理プログラムにおいて、受信要件設定処理は、広告コンテンツを広告配信サーバから受信する契機となるガイド画面を設定するガイド画面設定処理をコンピュータに実行させ、広告コンテンツ受信処理は、ガイド画面設定処理により設定したガイド画面を広告受信端末装置において表示した際に、広告コンテンツの受信が行われ、該受信した広告コンテンツがコンテンツ表示処理により表示されることを特徴とする。
【００２８】
請求項１７記載の発明は、請求項１４または１５記載の広告配信管理プログラムにおいて、コンテンツ表示処理により表示される広告コンテンツは、広告コンテンツ受信処理により広告コンテンツを受信した際に、所定の期間だけガイド画面と切り替わり表示されることを特徴とする。
【００２９】
請求項１８記載の発明は、請求項１５から１７の何れか１項に記載の広告配信管理プログラムにおいて、コンテンツ表示処理により表示される広告コンテンツは、全画面表示されることを特徴とする。
【００３０】
請求項１９記載の発明は、請求項１４または１５記載の広告配信管理プログラムにおいて、広告コンテンツ受信処理により受信する広告コンテンツのジャンルを指定する受信コンテンツ指定処理をコンピュータに実行させることを特徴とする。
【００３１】
請求項２０記載の発明は、請求項１９記載の広告配信管理プログラムにおいて、受信コンテンツ指定処理により指定する広告コンテンツのジャンルは、ガイド画面設定処理により設定したガイド画面に応じて指定されることを特徴とする。
【００３２】
請求項２１記載の発明は、請求項１４または１６記載の広告配信管理プログラムにおいて、ガイド画面設定処理により設定したガイド画面を広告配信サーバに送信するガイド画面送信処理をコンピュータに実行させることを特徴とする。
【００３３】
請求項２２記載の発明は、請求項１４から２１の何れか１項に記載の広告配信管理プログラムにおいて、広告コンテンツを受信する受信要件の１つとなる個人情報の登録または変更を行う個人情報設定処理をコンピュータに実行させることを特徴とする。
【００３４】
【発明の実施の形態】
（発明の特徴）
まず、図１を参照しながら、本発明にかかる広告配信システムについて説明する。
本発明にかかる広告配信システムは、広告コンテンツの配信を管理する広告配信管理プログラムを広告受信端末４００に搭載し、該プログラムを搭載した広告受信端末４００と広告デリバリーサービスサーバ１００とを介して広告コンテンツの配信処理が可能となるシステムを構築する。
【００３５】
更に、広告受信端末４００の設定する受信要件をガイドするためのガイド画面（タレントの写真、漫画キャラクター、特定ジャンルの画家コンテンツ等、好みの画像等を介した広告コンテンツの配信に供する表示画面）を受信端末４００の表示部に表示することで広告デリバリーサービスサーバ１００から広告コンテンツを配信させるシステムを構築する。
【００３６】
この広告配信システムの構築により、広告受信端末４００に対する広告コンテンツのスムーズな配信処理を可能とする。また、広告受信端末４００に搭載される広告管理プログラムに迷惑メールといわれる「未承諾広告」や「メール拒否」等の指定をすることで、不要な電子メール等の排除も可能とする。
【００３７】
また、広告受信端末４００の表示部には受信者が設定した写真等のガイド画面が表示されており、該表示されたガイド画面に対応する広告コンテンツが配信された際に、一定期間だけ広告コンテンツの画面に切り替わり全画面表示されることとなる。
【００３８】
また、広告コンテンツの提供元となる企業側が、ガイド画面の利用率を考慮して、利用率の高いガイド画面の情報を基に当該企業用にカスタマイズしたオリジナルのガイド画面を作成し、該作成したオリジナルのガイド画面を付した広告コンテンツが広告デリバリーサービスサーバ１００を介して受信者端末４００に配信されることとなる。
【００３９】
以下、添付図面を参照しながら本発明にかかる実施の形態について詳細に説明する。
まず、図１を参照しながら、本発明にかかる広告配信システムの構成について説明する。
広告配信システムは、広告コンテンツを配信管理する広告デリバリーサービスサーバ１００と、広告コンテンツをガイドするための利用画像情報を提供する画像コンテンツサーバ２００と、広告コンテンツによる宣伝を行う広告提供システムサーバ３００と、広告コンテンツの受信側となる広告受信端末４００と、を有して構成されている。
【００４０】
（広告デリバリーサービスサーバ１００の構成）
広告デリバリーサービスサーバ１００は、広告索引管理１１０と、配信条件・配信先管理１２０と、コンテンツ提携先管理１３０と、利用履歴管理１４０と、画像・管理情報ＤＢ（データ・ベース）１５０と、を有して構成されている。
【００４１】
広告索引管理１１０は、広告提供システムサーバ３００と広告受信端末４００とが利用するガイド画面（画像コンテンツサーバ２００から管理提供される利用画像とその利用画像の利用要件情報に基づき広告受信端末４００で表示される広告コンテンツを誘引する際に用いられるように作成された画面）の索引を管理する。
【００４２】
配信条件・配信先管理１２０は、広告コンテンツを配信する要件情報を管理すると共に実際の広告コンテンツの配信処理を行う。
コンテンツ提携先管理１３０は、広告コンテンツを提供する企業等である広告提供システムサーバ３００が広告デリバリーサービスサーバ１００を用いる際の要件を管理する。
【００４３】
利用履歴管理１４０は、広告提供システムサーバ３００と広告受信端末４００とが広告デリバリーサービスサーバ１００を利用した履歴の取得と課金処理に関する情報および各種統計情報の収集管理を行う。
画像・管理情報ＤＢ（データ・ベース）１５０は、広告デリバリーサービスサーバ１００で用いる制御情報や登録画像を格納する。
【００４４】
（画像コンテンツサーバ２００の構成）
画像コンテンツサーバ２００は、画像提供管理２１０と、画像ＤＢ（データ・ベース）２２０と、を有して構成されている。
画像提供管理２１０は、広告受信端末４００に表示するガイド画面の画像情報の利用に関する要件管理と、その要件管理に基づき画像情報の送信や使用料金の処理を行う。
画像ＤＢ（データ・ベース）２２０は、画像情報を格納管理する。
【００４５】
（広告提供システムサーバ３００の構成）
広告提供システムサーバ３００は、実際の広告コンテンツの送信を行う企業等にて用いられるサーバシステムであり、広告配信要件の指定やその広告結果の評価を行う。
【００４６】
（広告受信端末４００の構成）
広告受信端末４００は、広告管理プログラム４１０と、ガイド画面ＤＢ（データ・ベース）４２０と、を有して構成されている。
広告管理プログラム４１０は、広告デリバリーサービスサーバ１００を介してダウンロードされた当該サービスを広告受信端末４００側で作動させる。
ガイド画面ＤＢ（データ・ベース）４２０は、広告管理プログラムが作動する条件や当該広告受信端末４００に表示するガイド画面や使用履歴情報や広告管理プログラムを収納する。
【００４７】
なお、広告受信端末４００には、携帯電話機、ＰＤＡ（携帯情報端末機）、ＰＣ（パソコン）、ＭＭＫ（マルチ・メディア・キオスク端末システム）等が適用可能となる。
【００４８】
まず、図１を参照しながら、上記構成からなる広告配信システムの処理動作について説明する。
まず、広告受信端末４００は、広告デリバリーサービスサーバ１００にアクセスし、広告コンテンツを受信するための配信サービスを行う登録手続を行う（ａ．登録手続）。
そして、広告デリバリーサービス１００は、広告受信端末４００からの登録手続を受け付け、広告受信端末４００において広告管理プログラム４１０として作動させるための広告コンテンツ配信の管理プログラムを広告受信端末４００に送信する（ｂ．広告管理プログラム）。
【００４９】
次に、広告受信端末４００は、広告デリバリーサービスサーバ１００から受信した広告コンテンツ配信の管理プログラムを用いて、広告索引管理１１０から広告ガイド画面として利用するガイド画面を選択すると共に、広告デリバリーサービスサーバ１００から広告コンテンツを受信する際の受信条件を設定する（図２に示すＩ．広告受信端末管理情報４００）。
【００５０】
また、広告受信端末４００は、広告デリバリーサービスサーバ１００から受信した広告管理プログラムや上記処理において選択したガイド画面および該設定した受信条件を、広告受信端末４００の起動時や広告デリバリーサービスサーバ１００との広告受信状態の確認（ｃ．広告受信状態確認）の際に用いるものとしてガイド画面ＤＢ（データ・ベース）４２０に格納管理する。
【００５１】
なお、広告デリバリーサービスサーバ１００は、画像・管理情報ＤＢ（データ・ベース）１５０で管理するガイド画面を作成する場合には、ガイド画面を作成する際に用いる画像情報の請求を所定の条件に基づいて画像コンテンツサーバ２００に送信する（８．新規ガイド画面用画像要求）。そして、画像コンテンツサーバ２００は、広告デリバリーサービスサーバ１００から送信された所定の条件（８．新規ガイド画面用画像要求）に応じた画像情報と、その画像情報の請求に応じた課金条件と、を広告デリバリーサービスサーバ１００に対して送信する。
【００５２】
広告デリバリーサービスサーバ１００は、画像コンテンツサーバ２００から受信した画像情報と課金条件とを画像・管理情報ＤＢ（データ・ベース）１５０に格納管理する。なお、広告索引管理１１０、配信条件・配信先管理１２０等で用いられる画像は、図２に示すＦ．画像提供管理情報２１０に基づき広告受信端末４００とのインタフェースの整合を図ることとなる。例えば、図２に示すＦ．画像提供管理情報２１０における３．画像コンテンツバージョンＮｏと、４．有効期限：バージョンＮｏ、期日／期間／時間／回数と、の設定は、画像情報の有効期限指定に従って、ガイド画面ＤＢ（データ・ベース）４２０に格納管理している画像情報の取り扱いを、図２に示すＩ．広告受信端末管理情報４００の２．ガイド画面の選定（複数）、表示：常時／指定時、独自画面の切替可否／自動更新／固定、自己画像の適用、における広告受信端末４００側の条件の下に広告管理プログラム４１０の更新処理を行うことで最新のガイド画面を維持することとなる。
【００５３】
なお、広告デリバリーサービスサーバ１００は、画像コンテンツサーバ２００からの画像利用料の請求（１０．利用実績の請求）に基づき、利用履歴管理１４０で画像・管理情報ＤＢ（データ・ベース）１５０に格納した課金条件による計算を行う。そして、広告デリバリーサービスサーバ１００は、利用履歴管理１４０における計算により算出した利用料の明細と支払を画像コンテンツサーバ２００に送信することで、支払（１１．利用料明細と支払）処置を講じる。
【００５４】
広告コンテンツを広告受信端末４００に提供する企業は、広告提供システムサーバ３００を介して広告デリバリーサービスサーバ１００とのサービス利用インタフェースの設定（１．サービス利用プロトコルの取決）を行う。
さらに、広告提供システムサーバ３００を介して、広告コンテンツ、広告対象、広告表示要件を含めて広告デリバリーサービスサーバ１００に対して配信要求（２．広告コンテンツの配信要求）を行う。
【００５５】
次に、広告デリバリーサービスサーバ１００は、配信条件・配信先管理１２０（広告受信端末４００に広告コンテンツを配信する要件情報を管理すると共に広告コンテンツの配信処理を行う）と、コンテンツ提携先管理１３０（広告提供システムサーバ３００とのデリバリーサービスを用いる要件を管理する）と、により、広告コンテンツの配信対象として該当する広告受信端末４００に対して受信状態を確認する（ｃ．広告受信状態確認）（なお、広告管理プログラム４１０は、受信条件や受信状態を広告デリバリーサービスサーバ１００と交信する）。また、それと共に、広告デリバリーサービスサーバ１００は広告コンテンツの配信処理を広告受信端末４００に対して行う（ｄ．広告配信）。
【００５６】
なお、広告受信端末４００に対して複数の広告提供システムサーバ３００からの配信要求がある場合には、広告管理プログラム４１０は、ガイド画面ＤＢ（データ・ベース）４２０に登録されている受信条件と、ｃ．広告受信状態確認とｄ．広告配信とに付加されているガイド画面の切替／更新等の指示情報と、により広告コンテンツの表示処理を行う（図２に示すＥ．案内例）。
【００５７】
広告デリバリーサービスサーバ１００は、所定の条件（利用履歴管理１４０で管理している各種利用情報（地域、年齢等の受信者属性や表示類似等）に基づき、広告応答（広告受信端末４００からの申し込みや返事等（ｅ．利用履歴応答）を受ける）／実施結果（一定件数、一定期間・一定時間帯等での広告受取内容））の報告を広告提供システムサーバ３００に対して行う（３．広告応答／実施結果の報告）。このとき、場合により、広告提供システムサーバ３００は、広告デリバリーサービスサーバ１００による報告に対して分析評価を行い、追加広告を行う（４．広告追加）。
【００５８】
広告提供システムサーバ３００は、ガイド画面による広告コンテンツへの誘引をより効果的に行うため、同じガイド画面属性ではあるが、オリジナルのガイド画面（広告デリバリーサービスサーバ１００の広告索引管理１１０で管理する広告ガイド画面とは異なる臨時／企業独自のガイド画面）を用いる場合には、画像コンテンツサーバ２００に対して直接画像情報の提供を求める（６．利用条件と画像要求）。これにより、画像コンテンツサーバ２００は、要求（６．利用条件と画像要求）を満たす画像情報を広告提供システムサーバ３００に提供する（７．画像提供）。
【００５９】
そして、広告提供システムサーバ３００は、画像コンテンツサーバ２００から受け取った画像情報を広告本体のリード（ガイド）用として２．広告コンテンツの配信要求に付加した広告コンテンツを広告デリバリーサービスサーバ１００に対して送信する（５．独自画面利用広告配信要求）。
【００６０】
次に、２．広告コンテンツの配信要求に付加した広告コンテンツを受信した広告デリバリーサービスサーバ１００は、広告管理プログラム４１０と、ｃ．広告受信状態（図２に示すＩ．広告受信端末管理情報４００）の確認を行うことで、広告受信端末４００にてオリジナルのガイド画面が表示され、続いて広告コンテンツが表示されることとなる。
【００６１】
そして、広告デリバリーサービスサーバ１００は、当該配信サービスに伴う利用料金の請求を広告提供システムサーバ３００に対して行い、支払い精算がなされることとなる（１２．利用料の請求＆支払）。
【００６２】
このように、広告受信端末４００は、広告管理プログラム４１０を広告デリバリーサービスサーバ１００に対して当該サービスの利用のために登録手続を行うことで、ガイド画面の広告コンテンツの表示（リッチテキストとして、音声、文字、動画等の様々な形式で画面は構成される）が可能となる。
【００６３】
なお、広告受信者は、広告受信端末４００においてガイド画面を表示することで、広告提供システムサーバ３００の提供する広告コンテンツを受信・表示する意志表示をすることとなる。
なお、ガイド画面を表示した際に、どの広告コンテンツを見るかは図２に示すＩ．広告受信端末管理情報４００として登録することで、自動的に広告管理プログラム４１０と広告デリバリーサービスサーバ１００との間でコントロールされる。
【００６４】
また、広告受信端末４００で表示される広告コンテンツは、広告受信端末４００にてガイド画面が表示されている際に、広告デリバリーサービスサーバ１００から広告コンテンツが配信された時点で、一定期間だけガイド画面と切り替わり配信された広告コンテンツが表示されることとなる。
【００６５】
（図２に示すＩ．広告受信端末管理情報の内容）
なお、図２に示す広告受信端末管理情報４００の１．個人情報には、住所、氏名、年齢、性別等の個人情報に関する情報を登録することで、広告のためのマーケティング情報に用いられる。
【００６６】
また、２．ガイド画面の選定（複数）には、利用したいガイド画面（複数の利用が可能）に関する運用の条件が登録設定される。例えば、ガイド画面を常時表示していたり、表示操作を行うことで表示（指定）したり等の条件が登録設定されることとなる。
【００６７】
また、利用しているガイド画面の扱いについては、広告提供システムサーバ３００の広告コンテンツ独自のガイド画面に切替表示を行うか否か、広告デリバリーサービスサーバ１００が管理しているガイド画面の最新バージョンに自動更新を行うか否か、再登録手続きを行うまでは固定して同じガイド画面を表示するか否か、等の設定を行うこととなる。
【００６８】
また、３．広告受信条件の指定では、広告コンテンツとガイド画面の関連付けを行うために受信ジャンル（複数可能）の選択や特定企業の選択を行う。任意指定の場合には、広告コンテンツは何でも受信可能を意味することとする。なお、受信ジャンルの分け方は、画像コンテンツサーバ２００の画像提供者と広告デリバリーサービスサーバ１００等にて広告コンテンツおよび画像そのものの属性付けを行う。この属性は、広告受信端末４００や広告提供システムサーバ３００等の広告効果やアクセス状況等、利用履歴管理１４０の利用履歴や市場での人気度合い等を勘案して更新される。
さらに、複数ガイド画面や複数の広告コンテンツを自動的に表示するスクロール機能や次の広告コンテンツへ切り替える際にはマニュアル指定で行う等の設定も併せ持っている。
【００６９】
また、５．サービスプロバイダ指定は、当該配信サービスを可能とするサービスプロバイダの指定がなされる。ここで、指定／設定されている可否指定に従った処置のみを行う。
また、ガイド画面に用いる画像について、広告受信端末４００側で作成した画像（カメラ機能で撮影したものや、ＰＣに取り込んだ画像等）を所定の方法によりガイド画面として用いることも可能としている。
【００７０】
次に、図３を参照しながら、本実施の形態における広告配信システムにおける広告コンテンツの配信処理と、広告管理プログラム４１０の処理動作について説明する。
【００７１】
（広告管理プログラム４１０の処理の流れ）
まず、広告管理プログラム４１０の処理動作について説明する。
まず、ユーザは、広告配信サービスを広告受信端末４００に取り入れるために、広告受信端末４００の電源をオンに設定し、広告デリバリーサービスサーバ１００に対してアクセスする（ステップＳ４０１）。そして、広告管理用のプログラムを広告デリバリーサービスサーバ１００からダウンロードするか否かを判定する（ステップＳ４０２）。該判定により、広告管理用プログラムをダウンロードする場合は（ステップＳ４０２／ＹＥＳ）、広告デリバリーサービスサーバ１００から広告管理用のプログラムをダウンロードして広告管理プログラム４１０にインストールする（ステップＳ４０３）。また、受信者情報として個人情報（住所、氏名、年齢等）の登録／更新処理を行う（ステップＳ４０４）。
次に、広告受信端末４００を用いてインデックス表示＆選択処理を行う（ステップＳ４０５）。
【００７２】
また、広告管理用プログラムをダウンロードしない場合は（ステップＳ４０２／ＮＯ）、広告受信端末４００を用いてインデックス表示＆選択処理を行うこととなる（ステップＳ４０５）。
次に、広告受信端末４００で表示するガイド画面に対応する表示要件（広告の受信条件や広告コンテンツ情報の処理等）の設定／継続処理を行う（ステップＳ４０６）。
【００７３】
このように、広告配信サービスを広告受信端末４００に取り入れるために、広告配信広告管理プログラム４１０のダウンロード／更新処理、そして、個人情報の設定とガイド画面の表示要件の設定処理を行う。
【００７４】
次に、上記設定処理の後に、当該広告配信サービスを選択すると、ステップＳ６にて設定したガイド画面に対応する条件を基に、広告受信端末４００において選択したガイド画面が広告受信端末４００に表示され、広告コンテンツの受信待ち状態となる（ステップＳ４０７）。ここで、広告コンテンツの配信要請が広告デリバリーサービスサーバ１００から行われていると判定すると（ステップＳ４０８／広告有）、広告コンテンツ配信の読み込み処理が行われ、広告デリバリーサービスサーバ１００から広告コンテンツが配信され、広告受信端末４００において受信要件による広告コンテンツが展開される（ステップＳ４０９）。
【００７５】
また、広告コンテンツの要請が広告デリバリーサービスサーバ１００から行われていないと判定すると（ステップＳ４０８／広告なし）、広告コンテンツの受信処置が終了したか否かを判定する（ステップＳ１０）。該判定により、広告コンテンツの受信処置が終了していないと判定された場合には（ステップＳ４１０／ＮＯ）、ステップＳ７に戻り、ガイド画面が広告受信端末４００に表示され、広告コンテンツの受信待ち状態となる。
【００７６】
また、広告コンテンツの表示や受信処置が全て終了すると判定された場合には（ステップＳ４１０／ＹＥＳ）、利用履歴の収集記録が行われ（ステップＳ４１１）、広告デリバリーサービスサーバ１００へ報告される（ステップＳ４１２）。以上の処理を完了することで、広告管理プログラムは終了する（ステップＳ４１３）。
【００７７】
なお、報告の要件とは、広告デリバリーサービスサーバ１００と広告管理プログラム４１０との間で設定されるプロトコル（広告実施期間終了時、一定間隔、広告デリバリーサービスサーバ１００の指定時、ガイド画面ＤＢ（データ・ベース）４２０に蓄積される件数等）により行われる。
【００７８】
（広告提供システムサーバ３００の処理の流れ）
次に、広告提供システムサーバ（一般的には、企業等のシステム）３００における処理動作について説明する。
広告提供システムサーバ３００では、広告デリバリーサービスサーバ１００を介して広告受信端末４００に広告コンテンツを表示するためのサービス利用環境を構築する（ステップＳ３０１）。その内容は、図２に提示される管理情報の選択指定や企業名等の設定を行うこととなる。
【００７９】
この設定は、広告デリバリーサービスサーバ１００と広告システムサーバ３００とで共有し、以降の広告配信の枠組みを形成する。当然、この枠組みも広告受信端末４００を構成する受信者の数や属性の変化や企業側の広告対象や広告の効果分析等により髄時更新や変更見直しが行われる。
【００８０】
そして、広告提供システムサーバ３００は、広告コンテンツを用意し（ステップＳ３０２）、その広告コンテンツの配信要件を広告企画や計画に則して設定する（ステップＳ３０３）。そして、配信すべき広告コンテンツは広告デリバリーサービスサーバ１００で保有するガイド画面を通じて要件が成立する広告受信端末４００の受信者へ配信を行う方式か、広告受信端末４００に表示されているガイド画面ではなく企業が用意する独自のガイド画面（オリジナル画面）を通じて、広告コンテンツを広告受信端末４００へ送信する方式か、の何れかの方式により広告デリバリーサービスサーバ１００へ広告コンテンツの配信依頼を行う（ステップＳ３０４）。
【００８１】
広告提供システムサーバ３００では、広告デリバリーサービスサーバ１００のサービスシステムにより広告受信端末４００が受信した広告の視聴等の利用結果報告を広告デリバリーサービスサーバ１００から受け取り、その結果の効果測定を行うことで一連の処理は終了する（ステップＳ３０５）。
【００８２】
当然のことであるが、広告提供システムサーバ３００が提供する広告コンテンツにより広告受信端末４００からの反応や回答を広告提供システムサーバ３００側が直接受け取ることも可能である。広告提供システムサーバ３００が用いるオリジナルガイド画面は、画像コンテンツサーバ２００から広告受信端末４００に配信される画面と同種のもの（役者の画像の場合を例にとると、広告提供システムサーバ３００用の異なる同一役者の画像等が想定される）を基本とするが、任意に用意した画像を用いることも可能とする（この場合は、画像利用に伴う利用課金は広告デリバリーサービスサーバ１００にて別途規定（利用受信者数課金等）されるものを適用する）。
【００８３】
オリジナル画面は、図３に示す広告管理プログラム４１０の処理のステップＳ４０６にて、図２に示すＩ．広告受信端末管理情報４００、広告デリバリーサービスサーバ１００では、図２に示すＦ．画像提供管理情報２１０と図２に示すＡ．広告索引管理情報１１０とに基づき取り扱いを制御する。
【００８４】
また、図１の広告受信端末４００の受信者が図３の広告管理プログラム４１０のステップＳ４０６からステップＳ４０９の処理の中でガイド画面の表示／受信条件の再設定変更を行うことも可能であり、オリジナル画面はその場限りの表示から従来のガイド画面に切り替えて常時表示するように変更することも可能である。
【００８５】
これらの機能を用いて、広告効果を上げたい企業は画像コンテンツサーバ２００から提供される（図１の７．画像提供）オリジナル画面を用いた広告誘引の有効性が保たれることになる。
【００８６】
（広告デリバリーサービスサーバ１００の処理の流れ）
次に、広告デリバリーサービスサーバ１００の処理の流れについて説明する。
まず、広告デリバリーサービスサーバ１００は、広告サービス環境の設定処理を行う（受信者の属性（図２に示すＦ．画像提供管理情報と、Ｉ．広告受信端末管理情報））（ステップＳ１０１）。次に、広告提供システムサーバ３００の要件から条件成立広告コンテンツの送信処理を行う（ステップＳ１０２）。次に、配信結果のとりまとめ処理である、利用履歴の収集処理を行い（ステップＳ１０３）、ガイド画面をインデックスとして編集する広告索引編集処理を行う（画像コンテンツサーバ２００とのガイド画像情報と利用要件に基づく更新・登録処理）（ステップＳ１０４）。これにより、広告サービス環境の設定処理と、条件成立広告コンテンツの送信処理と、が維持される。次に、広告デリバリーサービスサーバ１００は、料金精算処理を行う（ステップＳ１０５）。
【００８７】
このように、広告デリバリーサービスサーバ１００は、ステップＳ１０１〜ステップＳ１０５の一連の処理により、広告提供システムサーバ３００（図２に示す、Ａ．広告索引管理情報と、Ｂ．広告配信管理情報と、Ｃ．広告提供元管理情報と、の管理情報による配信要件が設定される）からの広告コンテンツを広告受信端末４００に配信することとなる。
【００８８】
（画像コンテンツサーバ２００の処理の流れ）
次に、画像コンテンツサーバ２００の処理について説明する。
画像コンテンツサーバ２００は、広告デリバリーサービスサーバ１００から要請される画像コンテンツの管理（図２に示すＦ．画像提供管理情報２１０の４．有効期限、５．利用適用範囲、６．使用料金情報等）を行い、画像コンテンツ管理処理を行う（ステップＳ２０１）。そして、広告デリバリーサービスサーバ１００および広告提供システムサーバ３００からの画像コンテンツ要請によりコンテンツの送信を行う（ステップＳ２０２）。次に、画像コンテンツの提供時に設定された課金条件により広告デリバリーサービスサーバ１００との間で精算処理を行う（ステップＳ２０３）。また、画像ＤＢ（データ・ベース）２２０に画像コンテンツの収納管理を行う（ステップＳ２０４）。
【００８９】
このように、画像コンテンツサーバ２００は、ガイド画面を作成する際に用いられる画像コンテンツの管理を行い、画像コンテンツの要請により、要請先に画像コンテンツが送信されることとなる。
【００９０】
次に、図２に示す制御情報について説明する。
Ａ．広告索引管理情報１１０
（１．利用ガイド画面タイトル）
収納されているガイド画面の索引を表すタイトル。また、特定の領域画面中に表示するテキストコンテンツ制御情報を持つ。→この領域を利用して広告コンテンツ案内テキストを表示する方法も可能である。
（２．利用期間設定）
ガイド画面の利用（提供）期間を示し、基本的には画像コンテンツサーバ２００と広告デリバリーサービスサーバ１００との取り決めに基づき設定される。→期間指定、期日なし、期間指定。
（３．更新方法）
広告受信端末４００に保持／表示されるガイド画面の更新方法を指定。
自動随時更新：２．利用期間設定で指定された期日を契機に新しい画像コンテンツに画面を入れ替える設定／広告提供システムサーバ３００から提供された独自ガイド画面への切替表示方式。
定期更新：２．利用期間設定の利用期間の設定に基づき定期的にガイド画面を更新（差し替え）する方法。
無：広告受信端末４００からの変更要請がない限り、ガイド画面の切替を行わない方法で、基本的にはガイド画面ＤＢ（データ・ベース）４２０に格納された画面を適用する。
（４．ガイド画面属性）
ジャンル：スポーツ、キャラクター（アニメーション、等の分類）、製品（パソコン、ゲームソフト等）、スター名称（特定の芸能人等）、属性分類は広告デリバリーサービスサーバ１００の運営による。
（５．広告状況通知方法）
広告コンテンツの待ちや案内情報を広告管理プログラム４１０に知らせることで広告管理プログラム４１０は、ガイド画面にＥ．案内例のような案内を行う。
【００９１】
Ｂ．広告配信管理情報１２０
（１．４００管理情報）
Ｉ．広告受信端末管理情報と同じ情報であるが、広告提供システムサーバ３００から広告デリバリーサービスサーバ２００への（広告デリバリーサービスサーバ２００から広告提供システムサーバ３００への）広告デリバリー要件を構成するパラメータとして用いられる。→対象地域、年齢層、ジャンル、使用機器・機種等による配信先の選定。
（２．接続方式）
発信型：常時接続環境端末や着信状態待機型への適用方式で広告管理プログラム４１０とで常時内容の整合を行うことが可能となる。
要求応答型：広告受信端末４００から広告受信用要請を受けて広告デリバリーサービスサーバ１００の配信サービスを作動させる方法。
（３．配信間隔）
広告コンテンツを配信する方法を規定するもので、１回のみの場合と指定回表示するかの指定に用いる時間／回数：指定配信時間帯、受信回数カウンタによる配信、広告コンテンツ表示応答を要求する方式。
（４．端末機状態）
ビジー／故障／応答なし、長期アクセスなし等の状態。
【００９２】
Ｃ．広告提供元管理情報１３０
（１．３００管理情報）
Ｈ．広告提供元情報と同じ情報であるが、利用課金や利用条件の確認や設定値情報。→課金方式、認証値、サービス利用枠（対象配布先数、地域等の属性、対象端末機、等）。
（２．配信条件）
４００条件の選択パラメータ固定：広告受信端末４００側で設定された条件に従った配信処理。
動的指定型：広告提供システムサーバ３００における広告コンテンツの配信条件を下に広告受信端末４００を選択して広告コンテンツの配信を行う方式。
【００９３】
Ｅ．利用履歴管理情報１４０
（１．３００の課金カウンタ処理）
課金条件に基づく課金とその管理処理。
（２．ガイドコンテンツカウンター処理）
広告コンテンツの表示カウンタで表示総数等を管理。
（３．４００の利用履歴）
広告受信端末４００から報告されてくる利用履歴応答の内容管理。→広告実施結果の報告に用いられる情報。
（４．その他統計情報）
サービス改善用に収集される利用情報。
【００９４】
Ｆ．画像提供管理情報２１０
（１．広告企業）
画像利用に特定企業の指定が広告デリバリーサービスサーバ１００のサービス利用企業に開放か否かの管理。→共通ガイド画面、限定利用。
（２．独自画像利用）
広告提供システムサーバ３００の企業が独自のガイド画面に用いる画像サービスか否かの管理。
（３．提供画像のバージョン管理）
ガイド画面の更新や提供中の画像の管理番号。
（４．有効期限）
対象画像毎の使用についての管理情報で当該サービスでの肖像権等のコントロールに用いられる。
（５．利用適用範囲）
Ａ．広告索引管理情報１１０のガイド画面属性の一部として用いられ、使用不可ジャンル、企業等の情報。→画像利用に適合しない場合等に用いられる。
（６．使用利用金情報）
当該画像を提供するに際しての価格であり、定額製と当該サービスに適用する課金体系に則して料金徴収する方式を選択する。
【００９５】
Ｇ．画像ＤＢ（データ・ベース）２２０の格納画像情報例
肖像権等の諸権利を有する画像を対象に管理され、個々の画像の利用条件も合わせ管理収納されるデータ・ベース。このデータ・ベースと広告デリバリーサービスサーバ１００および広告提供システムサーバ３００に画像等を提供し、広告デリバリーサービスサーバ１００を経て広告管理プログラム４１０の作動のもとに広告受信端末４００に広告ガイド画面として表示される。
【００９６】
Ｈ．広告提携元情報３００
広告提供システムサーバ３００にて管理および制御するために、必用とする情報を規定する。この規定に基づき、広告デリバリーサービスサーバ１００との通信プロトコルを発信し、サービスの利用を行う。
通信プロトコルに搭載される管理情報は、１．企業名、２．指定ジャンル、３．独自画面利用の場合のその画面情報、４．広告配信対象の絞り込みや表示方式、５．対象機器、等が設定される。
【００９７】
Ｉ．広告受信端末管理情報４００
（１．個人情報）
デリバリーサービスに必要となる個人属性情報（住所、職業、収入等マーケティングのためのセグメント化情報）。
（２．ガイド画面の選定（ガイド画面対応））
表示：表示したい画面の指定と、その表示方式で指定時のみの表示と常時表示する方法で広告管理プログラム４１０は制御する。
独自画面の切替可否：ガイド画面から呼び出される広告コンテンツに独自のガイド画面が付与されている場合に、その画面を表示するか否かの指定。切替指定の場合には、新しいガイド画面が表示される。その際に、その画面をそのまま以後のガイド画面として用いるか、広告コンテンツ表示終了後は、元のガイド画面にするかの選択も可能とする。また、有効期限情報は、新ガイド画面のものに切り替わる。
自動更新：広告デリバリーサービスサーバ１００からガイド画面のバージョンアップ要請が来た際に、そのガイド画面に更新するか否かの指定を行う。
固定：選択したガイド画面を受信者が再設定するまで利用する。
Ｆ．画像提供管理情報の（４．有効期限）で肖像権等の権利保有者が設定した有効期限が到来した場合は広告管理プログラム４１０にて再設定の要請を受信者に行う。
自己画像：受信者側で容認した画像をガイド画面として適用する。
（３．広告受信条件の指定（ガイド画面対応））
指定ジャンル（複数）の選択：広告デリバリーサービスサーバ１００で提示される表を選択指定。企業指定方式等。
自動スクロール：広告デリバリーサービスサーバ１００に受信待ち広告コンテンツがある場合に、表示確認操作／一定操作（応答時）／一定時間経過後に次の広告コンテンツに自動切替を行う方法とマニュアル操作による切替表示の指定。
（４．使用機器）
機種等の指定。
（５．サービスプロバイダ指定（広告管理プログラム４１０と更新可能なサービスプロバイダ指定））
【００９８】
以上の説明により明らかなように本実施の形態における広告配信システムは、以下のような特徴を有することとなる。
第１の特徴として、広告コンテンツを受け入れる状態にあること、また、到来した広告コンテンツを自動的に表示する、または、表示要件に従って表示することで、受信者に確実に広告コンテンツの表示が行われることとなる。なお、表示要件となるガイド画面は、広告デリバリーサービスサーバ１００が提供するものを選択指定することとするが、受信者が作成した画像をガイド画面として用いることも可能である。これにより、より好感のある広告コンテンツの誘引用のガイド画面を用いることが可能となる。
【００９９】
第２の特徴として、広告コンテンツの作成に際して、従来のバナー広告やハイパーリンクによる広告コンテンツへの誘導と異なり、パソコンや携帯電話機等の表示画面全体を広告コンテンツの表示スペースとすることで、広告手法やデザインに大幅な自由度を持たせることが可能となる。
【０１００】
第３の特徴として、個人情報を設定することで、広告受信者が当該配信サービスへの登録会員となることから、広告コンテンツの提供企業側が広告コンテンツの配信対象や配信範囲を設定した広告活動に加え、受信者が好むガイド画面と広告ジャンルを選択設定できることから、例えば、好みの歌手のキャラクターを広告ブランドとして一体化したり、特別な画像内容で広告コンテンツへ誘引したりすることが可能となる。
【０１０１】
第４の特徴として、ガイド画面にリッチコンテンツ処理を行うことで、好みのタレントやコンテンツがガイド画面を通じてメッセージ等を提示することが可能となり、よりインパクトのある広告コンテンツへの誘引促進を可能とする。
【０１０２】
第５の特徴として、ガイド画面は提供企業側から新しいガイド画面や限定サービスが案内されることで、ガイド画面の鮮度を保ったサービス構築が可能となる。
【０１０３】
第６の特徴として、広告コンテンツを積極的に受ける意志を表示する受信者側と広告コンテンツの提供者側とを結びつけ、且つ、ガイド画面を好みのものに設定することから、該設定した好みのガイド画面のバージョンアップも広告視聴効果に寄与するサービスとして提供されることとなる。
【０１０４】
第７の特徴として、ガイド画面の内容も広告誘引効果があるか否かの検証データとして利用することが可能となる。
【０１０５】
第８の特徴として、ブランドマークをガイド画面とする場合は、製品案内等の多面的なアピールに適用が可能となる。
【０１０６】
なお、上述する実施の形態は、本発明の好適な実施の形態であり、本発明の要旨を逸脱しない範囲内において種々変更実施が可能である。
【０１０７】
【発明の効果】
以上の説明より明らかなように本発明は以下のような効果を奏する。
本発明は、広告コンテンツの配信要求または配信許諾を行う機能を通信端末機に搭載する、または、自動的に広告コンテンツの受信を行う機能を構築することで、広告コンテンツの配信率を向上させることが可能となる。
また、受信者の設定する受信要件をガイドするためのガイド画面を表示部に表示することで、該表示したガイド画面に応じた広告コンテンツが配信されることとなり、不要な広告コンテンツの配信を回避することが可能となる。
【図面の簡単な説明】
【図１】本発明にかかる広告配信システムを示す構成図である。
【図２】本発明にかかる広告配信システムにおける制御情報の概要を示す説明図である。
【図３】広告配信システムにおいて広告コンテンツが配信される際の処理動作および広告管理プログラム４１０の処理動作を示す図である。
【符号の説明】
１００  広告デリバリーサービスサーバ
１１０  広告索引管理
１２０  配信条件・配信先管理
１３０  コンテンツ提携先管理
１４０  利用履歴管理
１５０  画像・管理情報ＤＢ（データ・ベース）
２００  画像コンテンツサーバ
２１０  画像提供管理
２２０  画像ＤＢ（データ・ベース）
３００  広告提供システムサーバ
４００  広告受信端末
４１０  広告管理プログラム
４２０  ガイド画面ＤＢ（データ・ベース）
【図１】
2004271885.tif 000003
【図２】
2004271885.tif 000004
【図３】
2004271885.tif 000005